(57)【要約】      （修正有）【課題】体積が小さいという利点を有する光源モジュール及びデュアルディスプレイ表示装置を提供する。【解決手段】光源モジュール１００は第１導光板１１０、第２導光板１２０、光スプリッタ１３０及び光源１４０を含み、第１導光板１１０は第１入射面１１１を有し、第２導光板１２０は第２入射面１２１を有し、光スプリッタ１３０は第１出射面１３１、第２出射面１３２、第３入射面１３３、第１導光部１３４及び第２導光部１３５を有し、第１入射面１１１は第１出射面１３１に対向し、第２入射面１２１は第２出射面１３２に対向し、第１導光部１３４は第３入射面１３３から第１出射面１３１に延在し、第２導光部１３５は第３入射面１３３から第２出射面１３２に延在し、光源１４０は第３入射面１３３の傍に配置され、第３入射面１３３を介して光スプリッタ１３０に入射する光線Ｌ１、Ｌ２を発する。【選択図】図１
0003221232.tif 000002
【実用新案登録請求の範囲】
【請求項１】
第１入射面を有する第１導光板と、
第２入射面を有する第２導光板と、
第１出射面、第２出射面、第３入射面、第１導光部及び第２導光部を有する光スプリッタであって、前記第１入射面は前記第１出射面に対向し、前記第２入射面は前記第２出射面に対向し、前記第１導光部は前記第３入射面から前記第１出射面に延在し、前記第２導光部は前記第３入射面から前記第２出射面に延在する、光スプリッタと、
前記第３入射面の傍に配置され、前記第３入射面を介して前記光スプリッタに入射する光線を発する光源と、を含む、光源モジュール。
【請求項２】
前記第１出射面、前記第２出射面及び前記第３入射面のうち少なくとも１つは、前記光源から発せられた光線を特定の方向に向けるように導く複数のマイクロ構造が設けられる、請求項１に記載の光源モジュール。
【請求項３】
前記第１入射面と前記第１出射面との間に配置され、前記第１導光板に入射する光線の強度を調整する第１調光素子と、
前記第２入射面と前記第２出射面との間に配置され、前記第２導光板に入射する光線の強度を調整する第２調光素子と、をさらに含む、請求項１に記載の光源モジュール。
【請求項４】
前記第１調光素子及び前記第２調光素子は高分子分散型液晶である、請求項３に記載の光源モジュール。
【請求項５】
前記第３入射面の前記第１導光部に対応する第１部分と前記光源との間に配置され、前記第１導光部に入射する光線の強度を調整する第１調光素子と、
前記第３入射面の前記第２導光部に対応する第２部分と前記光源との間に配置され、前記第２導光部に入射する光線の強度を調整する第２調光素子と、をさらに含む、請求項１に記載の光源モジュール。
【請求項６】
前記第１調光素子及び前記第２調光素子は高分子分散型液晶である、請求項５に記載の光源モジュール。
【請求項７】
前記第１入射面と前記第２入射面とは同一側に向いている、請求項１に記載の光源モジュール。
【請求項８】
前記第１入射面は前記第２入射面に対向し、
前記光スプリッタは、前記第１入射面と前記第２入射面との間に配置され、
前記第３入射面には複数のマイクロ構造が設けられ、前記複数のマイクロ構造は前記光源から発せられた光線を特定の方向に向けるように導く、請求項１に記載の光源モジュール。
【請求項９】
前記光スプリッタは、底面を有するプレートであり、
前記第１出射面及び前記第２出射面は、前記プレートの対向する両端に位置し、且つ前記底面に接続され、
前記底面の一部は、前記第３入射面である、請求項８に記載の光源モジュール。
【請求項１０】
光源モジュールと、第１表示パネルと、第２表示パネルと、を含むデュアルディスプレイ表示装置であって、
前記光源モジュールは、
第１入射面及び第３出射面を有する第１導光板と、
第２入射面及び第４出射面を有する第２導光板と、
第１出射面、第２出射面、第３入射面、第１導光部及び第２導光部を有する光スプリッタであって、前記第１入射面は前記第１出射面に対向し、前記第２入射面は前記第２出射面に対向し、前記第１導光部は前記第３入射面から前記第１出射面に延在し、前記第２導光部は前記第３入射面から前記第２出射面に延在する、光スプリッタと、
前記第３入射面の傍に配置され、前記第３入射面を介して前記光スプリッタに入射する光線を発する光源と、を含み、
前記第１表示パネルは、前記第１導光板の前記第３出射面に対向するように配置され、
前記第２表示パネルは、前記第２導光板の前記第４出射面に対向するように配置される、デュアルディスプレイ表示装置。
【請求項１１】
前記第１入射面と前記第２入射面とは同一側に向いている、請求項１０に記載のデュアルディスプレイ表示装置。
【請求項１２】
前記第１表示パネルの表示面は、前記第１導光板の前記第３出射面から離れ、
前記第２表示パネルの表示面は、前記第２導光板の前記第４出射面から離れる、請求項１１に記載のデュアルディスプレイ表示装置。
【請求項１３】
前記第１表示パネルの表示面は、前記第１導光板の前記第３出射面に向いており、
前記第２表示パネルの表示面は、前記第２導光板の前記第４出射面に向いている、請求項１１に記載のデュアルディスプレイ表示装置。
【請求項１４】
前記第１表示パネルの表示面は、前記第１導光板の前記第３出射面から離れ、
前記第２表示パネルの表示面は、前記第２導光板の前記第４出射面に向いている、請求項１１に記載のデュアルディスプレイ表示装置。
【請求項１５】
前記光源モジュールは、前記第１導光板と前記第２導光板との間に配置された反射シートをさらに含む、請求項１１に記載のデュアルディスプレイ表示装置。
【請求項１６】
前記第１入射面は前記第２入射面に対向し、
前記光スプリッタは、前記第１入射面と前記第２入射面との間に配置され、
前記第１表示パネルの表示面は、前記第１導光板の前記第３出射面から離れ、
前記第２表示パネルの表示面は、前記第２導光板の前記第４出射面から離れ、
前記第３入射面には複数のマイクロ構造が設けられ、前記複数のマイクロ構造は前記光源から発せられた光線を特定の方向に向けるように導く、請求項１０に記載のデュアルディスプレイ表示装置。
【請求項１７】
前記第１入射面は前記第２入射面に対向し、
前記光スプリッタは、前記第１入射面と前記第２入射面との間に配置され、
前記第１表示パネルの表示面は、前記第１導光板の前記第３出射面に向いており、
前記第２表示パネルの表示面は、前記第２導光板の前記第４出射面に向いており、
前記第３入射面には複数のマイクロ構造が設けられ、前記複数のマイクロ構造は前記光源から発せられた光線を特定の方向に向けるように導く、請求項１０に記載のデュアルディスプレイ表示装置。
【考案の詳細な説明】
【技術分野】
【０００１】
本考案は、光源モジュールに関し、特に表示装置に適用可能な光源モジュール及び該光源モジュールを用いるデュアルディスプレイ表示装置（ｄｕａｌ  ｄｉｓｐｌａｙ  ｄｅｖｉｃｅ）に関する。
【背景技術】
【０００２】
液晶表示装置は、主にバックライトモジュールにより面光源を提供する。バックライトモジュールは、直下型バックライトモジュールとサイドライト型バックライトモジュールを含む。従来の通常の直下型バックライトモジュールは、二次元アレイ状に配列された複数の発光ダイオードが拡散板の下方に配置されている。しかし、直下型バックライトモジュールは、優れた輝度の均一性を有するが、厚さが厚いという問題がある。
【０００３】
サイドライト型バックライトモジュールは、発光ダイオードのライトバーが導光板の側面に配置されているため、直下型バックライトモジュールよりも薄い厚さを有する。しかし、従来のサイドライト型バックライトモジュールは、１つの導光板と１つの光源がペアとされたものであり、液晶表示装置は構造設計として２つの導光板が用いられる場合、個別の光源を配置する必要があるため、液晶表示装置の体積をさらに小さくすることができなくなる。
【０００４】
「背景技術」段落の内容は本考案の内容の理解を補助するためのものであり、「背景技術」段落に記載される内容は、当技術分野の常用知識を持っている者が把握していること以外の従来技術も含むことができる。「背景技術」段落に記載される内容について、「背景技術」の内容又は本考案の一個又は複数個の実施例が解決しようとする問題を代表するものは、本考案の出願前に当技術分野の常用知識を持っている者が既に把握又は承知しているものではない。
【考案の概要】
【考案が解決しようとする課題】
【０００５】
本考案は、体積が小さいという利点を有する光源モジュールを提供する。
【０００６】
本考案は、体積が小さいという利点を有するデュアルディスプレイ表示装置を提供する。
【０００７】
本考案の他の目的及び利点は、本考案に開示されている技術的特徴からさらに明らかになる。
【課題を解決するための手段】
【０００８】
上記の目的の一つ、一部若しくは全部、又は他の目的を達成するため、本考案の１つの実施例は、第１入射面を有する第１導光板と、第２入射面を有する第２導光板と、第１出射面、第２出射面、第３入射面、第１導光部及び第２導光部を有する光スプリッタであって、前記第１入射面は前記第１出射面に対向し、前記第２入射面は前記第２出射面に対向し、前記第１導光部は前記第３入射面から前記第１出射面に延在し、前記第２導光部は前記第３入射面から前記第２出射面に延在する、光スプリッタと、前記第３入射面の傍に配置され、前記第３入射面を介して前記光スプリッタに入射する光線を発する光源と、を含む、光源モジュールを提供する。
【０００９】
上記の目的の一つ、一部若しくは全部、又は他の目的を達成するため、本考案の１つの実施例は、第１表示パネルと、第２表示パネルと、上記の光源モジュールと、を含むデュアルディスプレイ表示装置であって、前記第１表示パネルは、前記第１導光板の第３出射面に対向するように配置され、前記第２表示パネルは、前記第２導光板の第４出射面に対向するように配置される、デュアルディスプレイ表示装置を提供する。
【００１０】
本考案の１つの実施例では、前記第１出射面、前記第２出射面及び前記第３入射面のうち少なくとも１つは、前記光源から発せられた光線を特定の方向に向けるように導く複数のマイクロ構造が設けられる。
【００１１】
本考案の１つの実施例では、前記光源モジュールは、前記第１入射面と前記第１出射面との間に配置され、前記第１導光板に入射する光線の強度を調整する第１調光素子と、前記第２入射面と前記第２出射面との間に配置され、前記第２導光板に入射する光線の強度を調整する第２調光素子と、をさらに含む。
【００１２】
本考案の１つの実施例では、前記光源モジュールは、前記第３入射面の前記第１導光部に対応する第１部分と前記光源との間に配置され、前記第１導光板に入射する光線の強度を調整する第１調光素子と、前記第３入射面の前記第２導光部に対応する第２部分と前記光源との間に配置され、前記第２導光板に入射する光線の強度を調整する第２調光素子と、をさらに含む。
【００１３】
本考案の１つの実施例では、前記第１調光素子及び前記第２調光素子は高分子分散型液晶である。
【００１４】
本考案の１つの実施例では、前記第１入射面と前記第２入射面とは同一側に向いている。
【００１５】
本考案の１つの実施例では、前記第１表示パネルの表示面は、前記第１導光板の前記第３出射面から離れ、前記第２表示パネルの表示面は、前記第２導光板の前記第４出射面から離れる。
【００１６】
本考案の１つの実施例では、前記第１表示パネルの表示面は、前記第１導光板の前記第３出射面に向いており、前記第２表示パネルの表示面は、前記第２導光板の前記第４出射面に向いている。
【００１７】
本考案の１つの実施例では、前記第１表示パネルの表示面は、前記第１導光板の前記第３出射面から離れ、前記第２表示パネルの表示面は、前記第２導光板の前記第４出射面に向いている。
【００１８】
本考案の１つの実施例では、前記光源モジュールは、前記第１導光板と前記第２導光板との間に配置された反射シートをさらに含む。
【００１９】
本考案の１つの実施例では、前記第１入射面は前記第２入射面に対向し、前記光スプリッタは、前記第１入射面と前記第２入射面との間に配置され、前記第１表示パネルの表示面は、前記第１導光板の前記第３出射面から離れ、前記第２表示パネルの表示面は、前記第２導光板の前記第４出射面から離れ、前記第３入射面には複数のマイクロ構造が設けられ、前記複数のマイクロ構造は前記光源から発せられた光線を特定の方向に向けるように導く。
【００２０】
本考案の１つの実施例では、前記第１入射面は前記第２入射面に対向し、前記光スプリッタは、前記第１入射面と前記第２入射面との間に配置され、前記第１表示パネルの表示面は、前記第１導光板の前記第３出射面に向いており、前記第２表示パネルの表示面は、前記第２導光板の前記第４出射面に向いており、前記第３入射面には複数のマイクロ構造が設けられ、前記複数のマイクロ構造は前記光源から発せられた光線を特定の方向に向けるように導く。
【００２１】
本考案の１つの実施例では、前記光スプリッタは、底面を有するプレートであり、前記第１出射面及び前記第２出射面は、前記プレートの対向する両端に位置し、且つ前記底面に接続され、前記底面の一部は、前記第３入射面である。
【考案の効果】
【００２２】
本考案の実施例の光源モジュールは、光スプリッタを用いることで、第１導光板と第２導光板が単一の光源を共用することができ、光源モジュールの体積を小さくすることができる。本考案の実施例のデュアルディスプレイ表示装置は、上記光源モジュールを用いるため、体積が小さいという利点を有する。
【００２３】
本考案の上記及び他の目的、特徴及び利点をより明確にするために、以下は図面を参照しながら好ましい実施例を詳細に説明する。
【図面の簡単な説明】
【００２４】
【図１】本考案の１つの実施例のデュアルディスプレイ表示装置の断面図である。
【図２】本考案の１つの実施例の光源モジュールの光スプリッタ及び光源の底面図である。
【図３】本考案のもう１つの実施例のデュアルディスプレイ表示装置の断面図である。
【図４】本考案のもう１つの実施例のデュアルディスプレイ表示装置の断面図である。
【図５】本考案のもう１つの実施例のデュアルディスプレイ表示装置の断面図である。
【図６】本考案のもう１つの実施例のデュアルディスプレイ表示装置の断面図である。
【図７】本考案のもう１つの実施例のデュアルディスプレイ表示装置の断面図である。
【考案を実施するための形態】
【００２５】
上述した本考案の上記及び他の技術的内容、特徴及び効果は、以下の図面を参照しながら、好ましい実施例の詳細な説明に示されるように、明らかである。以下実施例に言及される「上」、「下」、「左」、「右」、「前」、「後」等の方向の用語は、単なる図面の方向を参照するものである。よって、本考案は方向の用語に示されるものに限定されない。
【００２６】
図１は本考案の１つの実施例のデュアルディスプレイ表示装置の断面図である。図１に示すように、本実施例のデュアルディスプレイ表示装置１０は、光源モジュール１００、第１表示パネル２０及び第２表示パネル３０を含む。光源モジュール１００は、第１導光板１１０、第２導光板１２０、光スプリッタ１３０及び光源１４０を含む。第１導光板１１０は、第１入射面１１１及び第３出射面１１２を有する。第２導光板１２０は、第２入射面１２１及び第４出射面１２２を有する。第１入射面１１１と第２入射面１２１とは、例えば同一側に向いているが、これに限定されない。光スプリッタ１３０は、第１出射面１３１、第２出射面１３２、第３入射面１３３、第１導光部１３４及び第２導光部１３５を有する。第１入射面１１１は第１出射面１３１に対向し、第２入射面１２１は第２出射面１３２に対向する。第１導光部１３４は第３入射面１３３から第１出射面１３１に延在し、第２導光部１３５は第３入射面１３３から第２出射面１３２に延在する。光源１４０は、第３入射面１３３の傍に配置され、第３入射面１３３を介して光スプリッタ１３０に入射する光線（例えば光線Ｌ１、Ｌ２）を発する。第１表示パネル２０は第１導光板１１０の第３出射面１１２に対向するように配置され、第１表示パネル２０の表示面２１は第１導光板１１０の第３出射面１１２から離れている。第２表示パネル３０は第２導光板１２０の第４出射面１２２に対向するように配置され、第２表示パネル３０の表示面３１は第２導光板１２０の第４出射面１２２から離れている。
【００２７】
第１表示パネル２０及び第２表示パネル３０は、例えば液晶表示パネル（Ｌｉｑｕｉｄ  Ｃｒｙｓｔａｌ  Ｄｉｓｐｌａｙ  Ｐａｎｅｌ）である。本実施例では、第１表示パネル２０及び第２表示パネル３０は、例えば透過型の表示パネルであるが、これに限定されない。
【００２８】
図２は本考案の１つの実施例の光源モジュールの光スプリッタ及び光源の底面図である。図２に示すように、光源１４０は、例えば複数の点光源１４２を有する光源アセンブリであり、ここで、点光源１４２は例えば発光ダイオード（ＬＥＤ：ｌｉｇｈｔ  ｅｍｉｔｔｉｎｇ  ｄｉｏｄｅ）であるが、これに限定されない。光源１４０は例えばライトチューブのような他の種類の光源アセンブリであってもよいが、本考案は光源の種類に限定されない。
【００２９】
光スプリッタ１３０の材料は、例えばプラスチック（ＰＣ）、ポリメタクリル酸メチル（ＰＭＭＡ）、ガラス又は導光可能な他の材料であってもよい。光スプリッタ１３０は、例えば間隔をおいて設けられた複数の光スプリッタユニット１３６を含み、光源アセンブリ（光源１４０）の長辺１４１と平行な方向に沿って設けられる。もう１つの実施例では、光スプリッタ１３０は単一の素子であってもよく、即ち光スプリッタユニット１３６同士が接続され、１つの素子に統合される。
【００３０】
光スプリッタ１３０の第１出射面１３１、第２出射面１３２及び第３入射面１３３のうち少なくとも１つには例えば複数のマイクロ構造（図示せず）が設けられている。これらのマイクロ構造は、配列の密度、角度、方向又は形状等の設計要求に応じて、光源１４０から発せられた光線Ｌ１、Ｌ２を特定の方向に向けるように導くことができる。本実施例の光スプリッタ１３０は、例えばＣＭＬ（Ｃｏｌｌｉｍａｔｅｄ  Ｍｉｃｒｏｓｔｒｕｃｔｕｒｅ  Ｌｉｇｈｔ  ｇｕｉｄｅ  ｐｌａｔｅ）又はＩＭＬ（Ｉｎｎｏｖａｔｉｏｎ  Ｍｉｃｒｏｓｔｒｕｃｔｕｒｅ  Ｌｉｇｈｔ  ｇｕｉｄｅ  ｐｌａｔｅ）等のマイクロ構造技術を用いて光線Ｌ１及びＬ２それぞれを第１導光板１１０及び第２導光板１２０に向けるように導く。
【００３１】
本実施例では、第１導光板１１０と第２導光板１２０が光スプリッタにより光源１４０を共用することができ、光源モジュール１００の体積を小さくすることができる。本実施例のデュアルディスプレイ表示装置１０は、光源モジュール１００を用いるため、体積が小さいという利点を有する。また、光スプリッタ１３０に複数のマイクロ構造が設けられているため、光線Ｌ１、Ｌ２の経路を変更して特定の方向に向けるように導くことができ、光線Ｌ１、Ｌ２をより正確に調整することができる。
【００３２】
なお、光源モジュール１００は、第１調光素子１５０及び第２調光素子１６０をさらに含んでもよい。第１調光素子１５０は、例えば第１入射面１１１と第１出射面１３１との間に配置され、第１導光板１１０に入射する光線Ｌ１の強度を調整する。第２調光素子１６０は、例えば第２入射面１２１と第２出射面１３２との間に配置され、第２導光板１２０に入射する光線Ｌ２の強度を調整する。第１調光素子１５０及び第２調光素子１６０は。例えば高分子分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ）であってもよく、印加電圧を変更することで光線Ｌ１、Ｌ２の透過量を制御することができる。或いは、第１調光素子１５０及び第２調光素子１６０は、例えばマイクロ回路構造を有するバッフルであってもよく、必要に応じてバッフルの位置を変更するように駆動することで光線Ｌ１、Ｌ２を遮断することができる。本考案は、第１調光素子１５０及び第２調光素子１６０の種類に限定されない。
【００３３】
例えば、デュアルディスプレイ表示装置１０の第１表示パネル２０のみで表示したい場合、光線Ｌ１を通過させるように第１調光素子１５０を調整し、光線Ｌ２を通過させないように第２調光素子１６０を調整してもよい。デュアルディスプレイ表示装置１０の両面で表示したい場合、光線Ｌ１及びＬ２を通過させるように第１調光素子１５０及び第２調光素子１６０を調整すると共に、通過する光の強度を第１調光素子１５０及び第２調光素子１６０により調整することで第１導光板１１０及び第２導光板１２０の光線Ｌ１及びＬ２の強度を制御してもよい。従って、本実施例の光源モジュール１００は第１調光素子１５０及び第２調光素子１６０を設けることで光線Ｌ１及びＬ２を独立して調整することができ、或いは光線Ｌ１が第１導光板１１０に入ることを遮断し、光線Ｌ２が第２導光板１２０に入ることを遮断することができる。
【００３４】
光源モジュール１００は、第１導光板１１０と第２導光板１２０との間に配置された反射シート１７０をさらに含んでもよく、反射シート１７０は第１導光板１１０及び第２導光板１２０から漏れた光線を反射する。
【００３５】
図３は本考案のもう１つの実施例のデュアルディスプレイ表示装置の断面図である。図３に示すように、本実施例のデュアルディスプレイ表示装置１０ａの構成及び利点は上記のデュアルディスプレイ表示装置１０と類似し、以下は主にその構成の相違点を説明する。本実施例の光源モジュール１００ａでは、第１調光素子１５０は光スプリッタ１３０と光源１４０との間に配置され、より具体的には、第１調光素子１５０は第３入射面１３３の第１導光部１３４に対応する第１部分１３３１と光源１４０との間に配置され、第１導光部１３４に入射する光線Ｌ１の強度を調整する。第２調光素子１６０は光スプリッタ１３０と光源１４０との間に配置され、より具体的には、第２調光素子１６０は第３入射面１３３の第２導光部１３５に対応する第２部分１３３２と光源１４０との間に配置され、第２導光部１３５に入射する光線Ｌ２の強度を調整する。
【００３６】
また、光源１４０から出射した光線Ｌ１及びＬ２は第１調光素子１５０及び第２調光素子１６０により調整された後に、第３入射面１３３の第１部分１３３１から第１導光部１３４（図３の光スプリッタ１３０の破線よりも上の部分）に入射した光線Ｌ１は殆ど光スプリッタ１３０に設けられた複数のマイクロ構造（図示せず）により方向調整されて第１導光板１１０に導かれ、第３入射面１３３の第２部分１３３２から第２導光部１３５（図３の光スプリッタ１３０の破線よりも下の部分）に入射した光線Ｌ２は殆ど光スプリッタ１３０に設けられた複数のマイクロ構造（図示せず）により方向調整されて第２導光板１２０に導かれる。
【００３７】
図４は本考案のもう１つの実施例のデュアルディスプレイ表示装置の断面図である。図４に示すように、本実施例のデュアルディスプレイ表示装置１０ｂの構成は上記のデュアルディスプレイ表示装置１０と類似し、第１表示パネル及び第２表示パネルの種類にのみおいて異なる。具体的には、本実施例の第１表示パネル２０ｂ及び第２表示パネル３０ｂは例えば反射型の表示パネルである。第１表示パネル２０ｂは例えば第１導光板１１０と反射シート１７０との間に配置され、第１表示パネル２０ｂの表示面２１は第１導光板１１０の第３出射面１１２に向いている。第２表示パネル３０ｂは例えば第２導光板１２０と反射シート１７０との間に配置され、第２表示パネル３０ｂの表示面３１は第２導光板１２０の第４出射面１２２に向いている。
【００３８】
図５は本考案のもう１つの実施例のデュアルディスプレイ表示装置の断面図である。図５に示すように、本実施例のデュアルディスプレイ表示装置１０ｃの構成は上記のデュアルディスプレイ表示装置１０と類似し、第２表示パネルの種類にのみおいて異なる。具体的には、本実施例の第２表示パネル３０ｂは例えば反射型の表示パネルである。第２表示パネル３０ｂは例えば第２導光板１２０と反射シート１７０との間に配置され、第２表示パネル３０ｂの表示面３１は第２導光板１２０の第４出射面１２２に向いている。即ち、本実施例における２つの表示パネルの種類は異なる。
【００３９】
図６は本考案のもう１つの実施例のデュアルディスプレイ表示装置の断面図である。図６に示すように、本実施例のデュアルディスプレイ表示装置１０ｄの構成及び利点は上記のデュアルディスプレイ表示装置１０と類似し、以下は主にその構成の相違点を説明する。本実施例の光源モジュール１００ｄでは、第１導光板１１０の第１入射面１１１は例えば第２導光板１２０の第２入射面１２１に対向している。光スプリッタ１３０ａは、第１入射面１１１と第２入射面１２１との間に配置されている。第１表示パネル２０の表示面２１は、第１導光板１１０の第３出射面１１２から離れている。第２表示パネル３０の表示面３１は、第２導光板１２０の第４出射面１２２から離れている。光スプリッタ１３０ａの第３入射面１３３ａには複数のマイクロ構造（図示せず）が設けられ、これらのマイクロ構造は光源１４０から発せられた光線Ｌ１、Ｌ２を特定の方向に向けるように導く。
【００４０】
光スプリッタ１３０ａは、例えばプレートであるが、これに限定されない。プレート（光スプリッタ１３０ａ）は、光源１４０から離れた上面１３７、及び光源１４０に向いている底面１３８を有し、第１出射面１３１ａ及び第２出射面１３２ａは、プレートの対向する両端に位置し、且つ上面１３７及び底面１３８に接続され、底面１３８の一部は第３入射面１３３ａである。プレートの上面１３７及び底面１３８は、異なる構成上の設計要求に応じて、曲面、弧面又は平面であってもよい。また、第１出射面１３１ａ及び第２出射面１３２ａには光線Ｌ１及びＬ２を導くための複数のマイクロ構造（図示せず）が設けられてもよいが、本考案はこれに限定されない。
【００４１】
デュアルディスプレイ表示装置１０ｄは例えば折り畳むことができ、折り畳まれた場合、光スプリッタ１３０ａは折り畳み方向に沿って複数の段階に分けられ、展開された場合、再び連結されてもよい。折り畳みは手動で行われてもよいし、自動的に行われてもよく、自動的に行われる場合は例えば回転素子を用いてもよいが、これに限定されない。
【００４２】
光源モジュール１００ｄは、第１反射シート１７１及び第２反射シート１７２をさらに含んでもよい。第１反射シート１７１は、第１導光板１１０の下方に配置され、第１導光板１００から漏れた光線を反射する。第２反射シート１７２は、第２導光板１２０の下方に配置され、第２導光板１２０から漏れる光線を反射する。また、本実施例では、第１表示パネル２０及び第２表示パネル３０は、例えば透過型の表示パネルであるが、これに限定されない。
【００４３】
図７は本考案のもう１つの実施例のデュアルディスプレイ表示装置の断面図である。図７に示すように、本実施例のデュアルディスプレイ表示装置１０ｅの構成及び利点は上記のデュアルディスプレイ表示装置１０ｄと類似し、以下は主にその構成の相違点を説明する。本実施例の光源モジュール１００ｄでは、第１入射面１１１は例えば第２入射面１２１に対向している。光スプリッタ１３０ａは、第１入射面１１１と第２入射面１２１との間に配置されている。第１表示パネル２０の表示面２１は、第１導光板１１０の第３出射面１１２に向いている。第２表示パネル３０の表示面３１は、第２導光板１２０の第４出射面１２２に向いている。第３入射面１３３ａには複数のマイクロ構造（図示せず）が設けられ、これらのマイクロ構造は光源１４０から発せられた光線Ｌ１、Ｌ２を特定の方向に向けるように導く。本実施例では、第１表示パネル２０及び第２表示パネル３０は、例えば反射型の表示パネルであるが、これに限定されない。
【００４４】
以上のことから、本考案の実施例では、第１導光板と第２導光板が光スプリッタにより光源を共用することができ、光源モジュールの体積を小さくすることができる。本実施例のデュアルディスプレイ表示装置は、上記光源モジュールを用いるため、体積が小さいという利点を有する。また、光スプリッタに複数のマイクロ構造が設けられているため、光線の経路を変更して特定の方向に向けるように導くことができ、光線をより正確に調整することができる。
【００４５】
上記の説明は、本考案の好適な実施例に過ぎず、本考案の実施の範囲がこれらに限定されず、本考案の特許請求の範囲及び明細書の内容に基づいて、当業者によって何れの変更及び修飾が可能であり、本考案の保護範囲は特許請求の範囲を基準とする。また、本考案の実施例又は特許請求の範囲は何れも本考案により開示された目的又は利点又は特徴の全てを必ずしも実現する必要はない。また、要約部分と考案の名称は単に特許文献のサーチ作業を補助するためのものであり、本考案の権利範囲を限定するものではない。また、本明細書又は特許請求の範囲における「第１」、「第２」等の用語は単なる素子（ｅｌｅｍｅｎｔ）の名称を命名する或いは異なる実施例又は範囲を区別するためのものであり、部材の数の上限又は下限を限定するものではない。
【符号の説明】
【００４６】
１０、１０ａ、１０ｂ、１０ｃ、１０ｄ、１０ｅ    デュアルディスプレイ表示装置
１００、１００ａ、１００ｄ    光源モジュール
１１０    第１導光板
１１１    第１入射面
１１２    第３出射面
１２０    第２導光板
１２１    第２入射面
１２２    第４出射面
１３０、１３０ａ    光スプリッタ
１３１、１３１ａ    第１出射面
１３２、１３２ａ    第２出射面
１３３、１３３ａ    第３入射面
１３３１    第３入射面の第１部分
１３３２    第３入射面の第２部分
１３４    第１導光部
１３５    第２導光部
１３６    光スプリッタユニット
１３７    上面
１３８    底面
１４０    光源
１４１    長辺
１４２    点光源
１５０    第１調光素子
１６０    第２調光素子
１７０    反射シート
１７１    第１反射シート
１７２    第２反射シート
２０、２０ｂ    第１表示パネル
２１    第１表示パネルの表示面
３０、３０ｂ    第２表示パネル
３１    第２表示パネルの表示面
Ｌ１、Ｌ２    光線
【図１】
0003221232.tif 000003
【図２】
0003221232.tif 000004
【図３】
0003221232.tif 000005
【図４】
0003221232.tif 000006
【図５】
0003221232.tif 000007
【図６】
0003221232.tif 000008
【図７】
0003221232.tif 000009